(57)【要約】      （修正有）【課題】組立の剛性が最適化されず、コンテナを積層することが困難であるため、コンテナが積層され得るようにする。【解決手段】物質の輸送および／または貯蔵のための積層可能なパレットコンテナ１に関し、タップに合わせられ、キャップにより閉鎖される充填開口部を有する内部平行六面体状の内部パウチ２０と、コンテナ１を補強するために内部パウチ２０を囲み、ワイヤメッシュ３１の形を取る周辺保護ケージ３０と、内部パウチ２０が置かれるパレット１０と、コンテナ１を強化するために周辺保護ケージ３０の側面３５をその上部で連結する補強フレーム４０とを備え、補強フレーム４０が、鋼鉄チューブで製造される実質的に平らなフープを有し、一般的な多角形形状を有しており、補強フレーム４０が、一方をメッシュ３１に、他方を鋼鉄チューブに取り付けられる除去可能な固定ブラケット５０により周辺保護ケージ３０に除去可能に連結される。【選択図】図１
2017001748.tif 000002
【特許請求の範囲】
【請求項１】
有害物質、化学物質、食料品または粉末固体の輸送および／または貯蔵のための積層可能なパレットコンテナであって、
下部でタップに合わせられ、上部でキャップにより閉鎖される充填開口部を有する内部平行六面体状の高密度ポリエチレンパウチである内部パウチと、
補強するために該内部パウチを囲み、各交差地点でともに溶接される垂直バーおよび水平バーからなるワイヤメッシュ形状の周辺保護ケージと、
前記内部パウチが配置される木、プラスチック材料または金属で製造される下部パレットと、
鋼鉄チューブで製造される実質的に平らなフープを有し、一方を前記周辺保護ケージのメッシュ、他方を前記鋼鉄チューブに取り付けられる除去可能な固定ブラケットにより、除去可能な方式で前記周辺保護ケージの側面にその上部で連結される、一般的な多角形形状の補強フレームとを備え、
該補強フレームが、菱形、正方形または長方形のような連続的且つ規則的な四角形形状であり、側辺を形成する四つの大きいセクションと、四角形形状の端部を形成する四つの小さいセクションとを備え、
各前記小さいセクションが、少なくとも一つの除去可能な前記固定ブラケットにより前記周辺保護ケージの壁に連結される積層可能なパレットコンテナ。
【請求項２】
前記補強フレームの前記小さいセクションが、前記補強フレームが正方形または菱形の形状になるように、前記周辺保護ケージの前記壁の中央に連結される請求項１に記載の積層可能なパレットコンテナ。
【請求項３】
前記補強フレームの一方の対向する二つの前記小さいセクションが、一つの除去可能な前記固定ブラケットにそれぞれ合わせられ、
前記補強フレームの他方の対向する二つの前記小さいセクションが、離隔される二つの除去可能な前記固定ブラケットに合わせられる請求項２に記載の積層可能なパレットコンテナ。
【請求項４】
各前記固定ブラケットが、前記メッシュの上端エッジを跨ぐ一般的な逆Ｕ字型形状を有しており、前記周辺保護ケージの外部に取り付けられる第１部分と、前記補強フレームの内部に取り付けられる第２部分とを備える請求項１から請求項３のいずれかに記載の積層可能なパレットコンテナ。
【請求項５】
前記固定ブラケットの前記第１部分が、上下に位置する前記メッシュの少なくとも二つの前記水平バーに取り付けられ、
前記第２部分が、前記補強フレームを形成する対応チューブの形状と整合する丸いプロファイルを有する請求項４に記載の積層可能なパレットコンテナ。
【請求項６】
各前記固定ブラケットの前記第１部分および前記第２部分が、前記周辺保護ケージに前記補強フレームを強固に固定するために、クランプジョーをともに形成するように設計される少なくとも一つのスルーねじにより連結される請求項４または請求項５に記載の積層可能なパレットコンテナ。
【請求項７】
前記スルーねじが、前記第１部分および前記第２部分をより近接させるために、前記周辺保護ケージの内部に向かって前記第２部分を延ばす弾力的に変形可能な曲線タップの端部に立てかけられる請求項６に記載の積層可能なパレットコンテナ。
【請求項８】
前記内部パウチの上部に、前記補強フレームが収容される凹状部を有する請求項１から請求項７のいずれかに記載の積層可能なパレットコンテナ。
【請求項９】
前記凹状部が、前記補強フレームが前記内部パウチの上部を越えない、または同じ高さになる深さである請求項８に記載の積層可能なパレットコンテナ。
【発明の詳細な説明】
【技術分野】
【０００１】
本発明は、積層可能なパレットコンテナに関する。
【背景技術】
【０００２】
現在、有害物質、化学物質、食料品または粉末固体の輸送および／または貯蔵のための多くのタイプの積層可能なパレットコンテナがある（特許文献１および特許文献２参照。）。
【０００３】
一般的に、このようなパレットコンテナは、タップに合わせられ、キャップにより閉鎖される充填開口部を有する内部パウチと、コンテナを補強するために内部パウチを囲み、各交差地点でともに溶接される垂直バーおよび水平バーからなるワイヤメッシュ形状の周辺保護ケージと、内部パウチが配置される木、プラスチック材料または金属で製造される下部パレットとを備える。
【０００４】
しかしながら、このような解決策は、組立の剛性が最適化されず、コンテナを積層することが困難であるため、不十分である。
【０００５】
このような問題に対する解決策として、前述と類似のコンテナについて説明するが、上部補強構造（積層横材）が特別存在し、コンテナが積層され得るように特に提案される（特許文献３および特許文献４参照。）。
【０００６】
それにかかわらず、このような補強装置は、積層時に良好な荷重分布を可能とするには不十分である。
【先行技術文献】
【特許文献】
【０００７】
【特許文献１】仏国特許出願公開第２７６３０４４号明細書
【特許文献２】仏国特許出願公開第２７２８２３８号明細書
【特許文献３】仏国特許出願公開第２５９６３６０号明細書
【特許文献４】欧州特許出願公開第２６２３４２５号明細書
【発明の概要】
【課題を解決するための手段】
【０００８】
本発明の一態様は、有害物質、化学物質または食料品または粉末固体の輸送および／または貯蔵のための積層可能なパレットコンテナに関するものであり、下部でタップに合わせられ、上部でキャップにより閉鎖される充填開口部を有する内部平行六面体状の高密度ポリエチレンパウチである内部パウチと、補強するために該内部パウチを囲み、各交差地点でともに溶接される垂直バーおよび水平バーからなるワイヤメッシュ形状の周辺保護ケージと、前記内部パウチが配置される木、プラスチック材料または金属で製造される下部パレットと、コンテナを強化するために前記周辺保護ケージの側面をその上部で連結する補強フレームとを備え、
該補強フレームが、鋼鉄チューブで製造される実質的に平らなフープを有し、一般的な多角形形状を有し、前記補強フレームは、一方を前記周辺保護ケージのメッシュおよび他方を前記鋼鉄チューブに取り付けられる除去可能な固定ブラケットにより周辺保護ケージに除去可能に連結される積層可能なパレットコンテナを提供する。
【０００９】
好ましい実施形態によると、本発明によるコンテナは、以下の特徴のうち少なくとも一つを有する。
前記補強フレームが、菱形、正方形または長方形のような連続的且つ規則的な四角形形状であり、側辺を形成する四つの大きいセクションと、四角形形状の上部を形成する四つの小さいセクションとを備え、各前記小さいセクションが、少なくとも一つの除去可能な前記固定ブラケットにより前記周辺保護ケージの壁に連結されてもよい。
前記補強フレームの前記小さいセクションが、前記補助フレームが正方形または菱形の形状になるように前記周辺保護ケージの前記壁の中央に連結されてもよい。
前記補強フレームの一方の対向する二つの前記小さいセクションが、一つの除去可能な前記固定ブラケットにそれぞれに合わせられ、前記補強フレームの他方の対向する二つの前記小さいセクションが、離隔される二つの除去可能な前記固定ブラケットに合わせられてもよい。
各前記固定ブラケットが、前記メッシュの上端エッジを跨ぐ一般的な逆Ｕ字型形状を有しており、前記周辺保護ケージの外部に取り付けられる第１部分と、前記補強フレームの内部に取り付けられる第２部分とを備えていてもよい。
前記固定ブラケットの前記第１部分が、上下に位置する前記メッシュの少なくとも二つの前記水平バーに取り付けられ、前記第２部分が、前記補強フレームを形成する対応チューブの形状と整合する丸いプロファイルを有していてもよい。
各前記固定ブラケットの前記第１部分および前記第２部分が、前記周辺保護ケージに前記補強フレームを強固に固定するために、クランプジョーをともに形成するように設計される少なくとも一つのスルーねじによりともに連結されていてもよい。
前記スルーねじが、前記第１部分および前記第２部分をより近接させるために、前記周辺保護ケージの内部に向かって前記第２部分を延ばす弾力的に変形可能な曲線タップの端部に立てかけられていてもよい。
前記内部パウチの上部に、前記補強フレームが収容される凹状部を有していてもよい。
前記凹状部が、前記補強フレームが前記内部パウチの上部を越えない、または同じ高さになる深さであってもよい。
【図面の簡単な説明】
【００１０】
本発明は、以下で単に一例として与えられ、添付の図面に示される特定の実施例を参照してより詳細に説明される。
【図１】本発明の一実施形態におけるコンテナの斜視図である。
【図２】図１に示されるコンテナの正面図である。
【図３】図１に示されるコンテナの側面図である。
【図４】図１に示されるコンテナ上部の細部事項の上面斜視図である。
【図５】図１に示されるコンテナの上面図である。
【図６】図１に示されるコンテナの補強フレームの上面図である。
【図７】図１に示されるコンテナの内部パウチの側面図である。
【図８】図７の上面図である。
【図９】補強構造の取付要素を示す図１の詳細な図である。
【図１０】補強構造の取付要素を示す図１の詳細な図である。
【図１１】補強構造の取付要素を示す図１の詳細な図である。
【発明を実施するための形態】
【００１１】
図１は有害物質（例えば、酸）、化学物質、食料品または粉末固体の輸送および／または貯蔵のために特別に使用され得る本発明の一実施形態におけるコンテナ１を示す。
【００１２】
このコンテナ１は、下部２１で排水タップ２２に合わせられ、その上部２３でキャップ２４により閉鎖される充填開口部を有する内部平行六面体状の高密度ポリエチレンである内部パウチ２０を配置する下部パレット１０を基本的に備える。
【００１３】
パレット１０は、例えば、プラスチック材料で製造され、ハンドリングトラックのフォークが通過するように交差する様々な開口部１１，１２を有する。
【００１４】
内部パウチ２０は、周辺保護ケージ３０により囲まれてコンテナ１を補強し、周辺保護ケージ３０は、各交差地点３４でともに溶接される垂直バー３２および水平バー３３からなるワイヤメッシュ３１の形を取る。
【００１５】
コンテナ１の上部には、周辺保護ケージ３０の壁３５を連結する鋼鉄チューブで製造される補強フレーム４０があり、コンテナを強化する。
【００１６】
より詳細には、補強フレーム４０が、一方をメッシュ３１、他方を補強フレーム４０の鋼鉄チューブに取り付けられる除去可能な固定ブラケット５０により除去可能な方式で周辺保護ケージ３０に連結される。
【００１７】
特に、図５および図６に示されるように、補強フレーム４０は、実質的に平らなフープの形を取り、一般的な多角形の形状、例えば、菱形のような規則的で連続した四角形を有する。
【００１８】
補強フレーム４０は、菱形の側面４１を形成する四つの大きいセクションと、菱形の上部を形成する四つの小さいセクション４２とを備え、各小さいセクション４２が、少なくとも一つの除去可能な固定ブラケット５０により周辺保護ケージ３０の壁３５に連結される。
【００１９】
好ましくは、補強フレーム４０の小さいセクション４２は、周辺保護ケージ３０の壁３５の中央に連結され、補強フレーム４０の一方の対向する二つの小さいセクションが、一つの除去可能な固定ブラケット５０にそれぞれ合わせられ、他方の対向する二つの小さいセクション４２が、離隔される二つの除去可能な固定ブラケット５０に合わせられる。
【００２０】
図９〜図１１に示されるように、各固定ブラケット５０は、メッシュ３１の上端エッジ３６を跨ぐ一般的な逆Ｕ字型形状を有しており、周辺保護ケージの外部に取り付けられる第１部分５１と、補強フレーム４０の内部に取り付けられる第２部分５２とを備える。
【００２１】
より詳細には、固定ブラケット５０の第１部分５１が、少なくとも一つの隣接した水平バー３３だけでなく、メッシュ３１のエッジ３６に取り付けられ、第２部分５２が、補強フレーム４０を形成する対応チューブの形状と整合する丸いプロファイル５３を有する。
【００２２】
また、各固定ブラケット５０の両部分５１，５２は、周辺保護ケージ３０に補強フレーム４０を強固に固定するために、両部分５１，５２が、クランプジョーをともに形成するように少なくとも一つのスルーねじ５５の補助により連結される。
【００２３】
好ましくは、スル―ねじ５５は、グリップを向上させるために両部分５１，５２をより近接させるために、周辺保護ケージ３０の内部に向かって第２部分５２を延ばす弾力的に変形可能な曲線タップ５７の端部５６に立てかけられる。
【００２４】
図７および図８に示されるように、内部パウチ２０は、補強フレーム４０が収容される凹状部２６をその上部２３に有する。
【００２５】
より詳細には、凹状部２６は、補強フレーム４０が内部パウチ２０の上部２３を越えない、または同じ高さになる深さである。
【００２６】
このように製造されるコンテナ１は、衝撃に耐えることができ、積層可能な良好な剛性を有する。また、除去可能な補強フレーム４０は、必要に応じて、内部パウチ２０から取り外し、それを交替または補修することを可能とする。
【００２７】
明らかに、単に一例として与えられる本発明の発明対象の詳細な説明は、決して限定を構成せず、一般的な技術はまた本発明の範囲に含まれる。
【００２８】
したがって、パレット１０は、木またはプラスチック材料で製造され得る。
【００２９】
また、補強フレーム４０の形状は、コンテナ１（内部パウチ２０および周辺保護ケージ３０）の断面およびメッシュ３１に固定される位置に応じて正方形または長方形であってもよい。
【符号の説明】
【００３０】
１  パレットコンテナ
１０  下部パレット
２０  内部パウチ
２２  タップ
２３  上部
２４  キャップ
２６  凹状部
３０  周辺保護ケージ
３１  メッシュ
３２  垂直バー
３３  水平バー
３４  交差地点
３５  壁
３６  上端エッジ
４０  補強フレーム
４１  大きいセクション
４２  小さいセクション
５０  固定ブラケット
５１  第１部分
５２  第２部分
５５  スルーねじ
５６  端部
５７  曲線タップ
【図１】
2017001748.tif 000003
【図２】
2017001748.tif 000004
【図３】
2017001748.tif 000005
【図４】
2017001748.tif 000006
【図５】
2017001748.tif 000007
【図６】
2017001748.tif 000008
【図７】
2017001748.tif 000009
【図８】
2017001748.tif 000010
【図９】
2017001748.tif 000011
【図１０】
2017001748.tif 000012
【図１１】
2017001748.tif 000013
【外国語明細書】
2017001748000001.pdf